(57)【要約】【課題】工作機械の当初の設置場所からの不適切な移設による機械の精度低下、機能低下、寿命低下などを防止すると共に、機械の移設先や移設履歴を知ることもできる技術手段を提供する。【解決手段】工作機械ないしＮＣ装置のフレームの下面に設置されて設置床面を検出する距離センサ１ａと、この距離センサの検出値に変動があったときに当該変動を記憶する記憶手段２と、ＮＣ装置４に電源が投入されたときに充電されて前記距離センサ及び記憶手段に必要な電気を供給するバッテリー５と、ＮＣ装置４に工作機械３の起動指令が与えられた時に記憶手段２の内容を読取ることができない場合及び記憶手段２が変動を記憶している場合にＮＣ装置４に動作制限信号を出力する制限情報出力手段７と、リセット信号を受けて動作制限信号に基づく動作制限を解除すると共に記憶手段２の内容を初期化するリセット手段８とを備えている。【選択図】      図１
2008126336.tif 000002
【特許請求の範囲】
【請求項１】
機械フレームないしＮＣ装置フレームの下面に設置されて当該機械ないしＮＣ装置の設置床面を検出する距離センサ(1a)と、
この距離センサの検出値に変動があったときに当該変動を記憶する記憶手段(2)と、
ＮＣ装置(4)に電源が投入されたときに充電されて前記距離センサ及び記憶手段に必要な電気を継続的に供給するバッテリー(5)と、
ＮＣ装置(4)に工作機械(3)の起動指令が与えられた時に前記記憶手段(2)の内容を読取ることができない場合及び当該記憶手段が前記変動を記憶している場合にＮＣ装置(4)に動作制限信号を出力する制限情報出力手段(7)と、
所定のリセット信号を受けて前記動作制限信号に基づく動作制限を解除すると共に前記記憶手段の内容を初期化するリセット手段(8)とを備えている、工作機械の移設検出装置。
【請求項２】
機械フレームないしＮＣ装置フレームに設置されて当該機械フレームないしＮＣ装置フレームの傾斜を検出する電子水準器(1b)を備え、
前記記憶手段(2)は前記電子水準器の検出値に変動があったときにも当該変動を記憶し、
前記バッテリー(5)は前記水準器にも必要な電気を供給している、請求項１記載の移設検出装置。
【請求項３】
機械フレームないしＮＣ装置フレームに設置されて地磁気の方向を検出する電子コンパス(1c)を備え、
前記記憶手段(2)は前記電子コンパスの検出値に変動があったときにも当該変動を記憶し、
前記バッテリー(5)は前記電子コンパスにも必要な電気を供給している、請求項１又は２記載の移設検出装置。
【請求項４】
インターネット接続手段と、
前記動作制限が設定された状態でＮＣ装置(4)に入力された信号をインターネット接続手段を介して送信する送信手段(12)と、
インターネット接続手段を介して前記リセット信号を受信する受信手段(13)と
を備えている、請求項１、２又は３記載の移設検出装置。
【発明の詳細な説明】
【技術分野】
【０００１】
この発明は、工作機械が移設されたときに、機械の起動を制限して、不適正な移設による加工精度や機械寿命の低下などのトラブルを防止する技術手段に関するものである。
【背景技術】
【０００２】
加工精度の高い工作機械は、機械の据付が不適切であると、加工精度が低下じたり、所定の加工能力を発揮できないなどのトラブルが発生する。たとえば、据付ける床面に歪みや捻じれがあると、機械を床面に固定したときに機械フレームが変形し、当該フレームに搭載されている主軸や刃物台の位置関係に誤差が生ずるため、その機械の本来の加工精度を発揮することができない。また、据付ける床面を支えている基礎の強度が十分でないと、大きな切削反力が作用したり、ワークの搬送を行うローダやアンローダが動作したときに機械が振動し、加工面精度が低下したり、本来の加工能力を発揮できないということが起る。
【０００３】
工作機械には種々のものがあり、更に同じ種類の工作機械であってもフレームの構造や刃物台の配置位置により、据付時に留意しなければならない技術事項にも相違がある。そこで、工作機械の据付に際しては、機械メーカが認定した据付業者により据付を行って、機械本来の性能が確保されるようにしている。
【０００４】
しかし、一旦据付けられた工作機械は、工場の配置変えや移転、あるいは売却等によって移設されても、ユーザからの連絡がない限り、工作機械メーカや当該機械を据付けた据付業者は、機械の移設を知ることができない。メーカが知らないまま、不適切な方法で移設されたり、不適当な場所に移設されると、加工精度の低下、工具や機械寿命の低下などの問題が発生し、機械のユーザとメーカの間で補償などについてのトラブルが発生することがある。
【０００５】
工作機械を移設するときには、運転時とは異なる種類の振動が工作機械に作用する。特許文献１には、このような振動を検出することによって、機械の移設を認識して、その後の機械の起動を抑制することにより、工作機械の不適切な移設によるトラブルの発生を回避することが提案されている。
【特許文献１】特開２００３‐３５５９５号公報
【発明の開示】
【発明が解決しようとする課題】
【０００６】
上記特許文献１の技術によれば、工作機械の移設作業が行われた可能性があることを検知することができ、据付不良等によるトラブルの発生を回避できると考えられる。しかし、オペレータの操作ミスなどでワークが機械フレームに衝突したときの振動や地震発生時の振動により、機械の起動ができなくなるということが起り、そのたびにユーザがメーカに連絡して、起動制限を解除するためのパスワードなどの取得を行わなければならず、対応が面倒になるという問題がある。
【０００７】
また、地震によって起動停止が掛かる場合のように、不必要なときに機械の起動が制限されるという事態が生ずることは、いわば誤作動によって機械が停止するということであり、機械の信頼を損なう危険性が大きい。
【０００８】
この発明は、工作機械の移設に伴う種々のトラブルの発生を防止するための研究の一環としてなされたもので、当初の設置場所からの不適切な移設による機械の精度低下、機能低下、寿命低下などを防止すると共に、機械の移設先や移設履歴を知ることもできる技術手段を提供することを課題としている。
【課題を解決するための手段】
【０００９】
この出願の発明は、工作機械のフレームないし当該工作機械を制御するＮＣ装置のフレームの下面に設置されて当該工作機械ないしＮＣ装置の設置床面を検出する距離センサ１ａと、この距離センサの検出値に変動があったときに当該変動を記憶する記憶手段２と、ＮＣ装置４に電源が投入されたときに充電されて前記距離センサ及び記憶手段に必要な電気を継続的に供給するバッテリー５と、ＮＣ装置４に工作機械３の起動指令が与えられた時に前記記憶手段２の内容を読取ることができない場合及び当該記憶手段が前記変動を記憶している場合にＮＣ装置４に動作制限信号を出力する制限情報出力手段７と、所定のリセット信号を受けて前記動作制限信号に基づく動作制限を解除すると共に前記記憶手段の内容を初期化するリセット手段８とを備えている工作機械の移設検出装置を提供することにより、上記課題を解決したものである。
【００１０】
この出願の請求項２の発明に係る工作機械の移設検出装置は、上記手段を備えた工作機械の移設検出装置において、機械フレームないしＮＣ装置フレームに設置されて当該機械フレームないしＮＣ装置フレームの傾斜を検出する電子水準器１ｂを備え、前記記憶手段２は前記電子水準器の検出値に変動があったときにも当該変動を記憶し、前記バッテリー５は前記水準器にも必要な電気を供給していることを特徴とするものである。
【００１１】
また、この出願の請求項３の発明に係る工作機械の移設検出装置は、上記各手段を備えた工作機械の移設検出装置において、機械フレームないしＮＣ装置フレームに設置されて地磁気の方向を検出する電子コンパス１ｃを備え、前記記憶手段２は前記電子コンパスの検出値に変動があったときにも当該変動を記憶し、前記バッテリー５は前記電子コンパスにも必要な電気を供給していることを特徴とするものである。
【００１２】
この出願の発明に係る工作機械の移設検出装置は、インターネット接続手段と、前記動作制限が設定された状態でＮＣ装置４に入力された信号をインターネット接続手段を介して送信する送信手段１２と、インターネット接続手段を介して前記リセット信号を受信する受信手段１３とを備えることにより、据付者の認証や起動制限の解除を遠隔地から行うことが可能になる。
【００１３】
距離センサ、水準器及び電子コンパスは、検出値を電気信号として出力するものである。電子センサとして水準器と電子コンパスの両方の機能を備えたベアリングコンパスと呼ばれるセンサが提供されているので、水準器１ｂと電子コンパス１ｃを独立して個別に設ける代わりに、ベアリングコンパスを用いることができる。
【００１４】
記憶手段２（２ａ、２ｂ、２ｃ）は、初期値を記憶する初期値記憶領域と、検出値と初期値とを比較する比較器と、検出値が初期値から外れたときに変動有りのフラグを立てるための記憶領域とで構成され、リセットされたときにそのときの検出値を初期値記憶領域に記憶することにより初期化される。複数のセンサを設けたとき、記憶手段２はセンサ一個毎に個別に設けても良いが、いずれかのセンサの検出値に初期値からの変動があったときにフラグを立てる一個の記憶手段で構成することもできる。
【００１５】
記憶手段２の内容を読取ることができない場合とは、例えば、センサ１（１ａ、１ｂ、１ｃ）が破損された場合、バッテリー５の電源が切れた場合などである。この場合に起動制限をかけるようにするのは、センサ１や記憶手段２を取外しないし破壊して移設をすることを防止するためと、バッテリー５の充電が切れるほど長い間ＮＣ装置４に通電されなかったようなときに、作動油の劣化や漏れなどに起因するトラブルを防止するためである。バッテリー５の駆動時間で起動制限を掛ける代わりに、タイマを内蔵して当該タイマがタイムアップしたときに起動制限をかけるようにすることもできる。なお、バッテリー５は、継続的に、すなわちＮＣ装置に電源が接続されていないときでも、充電された電気を供給し続けている。
【００１６】
制限情報出力手段７から出力される制限信号は、簡単には工作機械に起動指令が与えられないようにする信号であるが、起動できるけれども特定の動作が機能しないというような機械の動作を部分的に制限する信号であってもよい。リセット信号は、暗証番号のようなパスワードであって、移設を行った据付担当者が手入力指令するか、インターネットを介して工作機械メーカなどに設置したサーバ１１から取得して自動入力する。
【発明の効果】
【００１７】
この発明により、機械のリセット信号を知っているメーカ認定の据付業者などの特定人の立ち会いのもとでなければ工作機械やＮＣ装置の移設ができないので、不適切な移設により生ずる機械性能の低下や寿命の低下を防止できると共に、機械の移設先の把握が可能で、機械の譲渡を含む履歴管理が可能になる。そして、機械を移設するときは、機械を設置床面から持上げることが必須であり、フレーム下面に装着した距離センサはフレームを持上げなければ改ざんなどすることができないので、移設を確実に検出できると共に、地震などによって本来必要でない起動制限がかかることもないので、不必要な移設検出装置の作動によって煩雑な解除作業が発生するのを避けることができる。更に、複数のセンサを設けることにより、移設をより確実に検出することができる。
【００１８】
また、記憶手段の内容を読出すことができないときも起動制限がかかるため、センサが取外されたり破壊されたとき、更には長時間通電されなかったためにバッテリーの充電が切れた場合などにも起動制限がかかるので、不正な改造や長時間放置されたことに起因する機械故障の発生なども防止することができる。
【発明を実施するための最良の形態】
【００１９】
図１及び図２は、この発明の第１実施形態を示した図で、図１はブロック図、図２は動作手順を示すフローチャートである。
【００２０】
図１において、１はセンサ、２は記憶手段である。図の例では、センサ１として距離センサ１ａ、水準器１ｂ及び電子コンパス１ｃの複数のセンサが設けられている。記憶手段２には、距離センサ１ａの検出値の最大変動量（初期値からのずれの最大値）を記憶する高さ記憶手段２ａ、水準器の検出値の最大変動量を記憶する傾き記憶手段２ｂ及び電子コンパスの検出値の最大変動量を記憶する方向記憶手段２ｃとが含まれている。３は工作機械、４は当該工作機械を制御しているＮＣ装置、５はセンサ１及び記憶手段２に電気を供給しているバッテリーである。図には明示してないが、このバッテリー５は、ＮＣ装置に通電されているときに充電されるものである。
【００２１】
７は制限情報出力手段である。ＮＣ装置４の電源が投入され、当該ＮＣ装置に工作機械３の起動指令が与えられたときに、ＮＣ装置４は、制限情報出力手段７を動作させる。制限情報出力手段７は、記憶手段２を参照し、高さ記憶手段２ａ、傾き記憶手段２ｂ及び方向記憶手段２ｃのいずれかの内容を読取ることができないとき及びそれらのセンサのいずれかが変動を記憶しているときに、ＮＣ装置４に起動制限信号を送る。ＮＣ装置４は、起動制限信号を受けたときには、与えられた工作機械の軌道指令を実行しない。
【００２２】
８はリセット手段である。リセット手段８はパスワードの手入力手段を備え、予め設定されている認証パスワードや据付者パスワードが入力されたときに、制限情報出力手段７からの起動制限信号を受けているＮＣ装置４に、その起動制限を解除するリセット信号を出力する。
【００２３】
図２は、図１のシステムの制御フローチャートを示した図である。ＮＣ装置４の電源が投入されたとき、記憶手段２の内容を読取り、読取り不可能なときは機械を起動しないで処理を終了する。記憶手段２の内容が読み取れたときは、これらの記憶手段２ａ、２ｂ、２ｃのいずれにも変動が記憶されていなければ工作機械を起動する。記憶手段２ａ、２ｂ、２ｃいずれかに変動が記憶されているときは、制限情報出力手段７からの制限情報によりＮＣ装置４に工作機械の起動制限をかけ、最初はステップ２１を通過してＮＣ装置４のディスプレイにパスワード認証画面を表示し、オペレータにパスワードの入力を促す。パスワードが入力されたら、パスワードの認証を行い、適正なパスワードであれば、ＮＣ装置に設定された起動制限を解除すると共に記憶手段２に初期値として現在の各センサの検出値を設定し、工作機械を起動する。適正なパスワードが得られなかったときは、ステップ２１に戻って入力回数が予め設定したリミット回数に到達したかどうかを判断し、リミット回数に達していなければパスワードの再入力を促す。不適切なパスワードの入力操作がリミット回数に到達したら、画面をロックし、工作機械を起動しないで処理を終了する。なお、上記の例は工作機械に起動制限を掛ける例であるが、次の例に示すように、ＮＣ装置自体に起動制限を掛けることもできる。
【００２４】
図３は、この発明の第２実施形態のブロック図、図４は、その動作フローチャートで、リセット手段８に与えるリセット信号をインターネット１０を介して取得することを可能にした例である。この第２実施形態の装置では、図１の装置に、インターネット１０を介してセンタに設置したサーバ１１とデータを送受信する送信手段１２と受信手段１３とが付加されている。受信手段１３は、インターネット１０を介してサーバ１１から取得したリセット信号をリセット手段８に与える。送信手段１２は、制限情報出力手段７の制限信号によりＮＣ装置４に動作制限が設定されている状態で当該ＮＣ装置４のディスプレイに表示した認証画面の指示に従ってパスワードが入力されたとき、当該パスワードをサーバ１１に送る。その他の構成は、図１のものと同じである。
【００２５】
次に図４を参照して、図３のシステムの動作を説明する。ＮＣ装置４の電源が投入されたとき、記憶手段２の内容を読取り、読取り不可能なときはＮＣ装置４を起動しないで処理を終了する。記憶手段２の内容が読み取れたときは、これらの記憶手段２ａ、２ｂ、２ｃのいずれにも変動が記憶されていなければＮＣ装置４を起動する。記憶手段２ａ、２ｂ、２ｃいずれかに変動が記憶されているときは、制限情報出力手段７からの制限情報によりＮＣ装置４に起動制限をかける。
【００２６】
次にステップ４２でＮＣ装置４のディスプレイにパスワード認証画面を表示して、ステップ４３でインターネット認証が可能かどうかを判定し、可能であればオペレータにステップ４４で工作機械の移設を行った据付者のパスワードの入力を促し、入力された据付者パスワードをインターネット１０を介してサーバ１１に送る。サーバ１１は、当該パスワードが正規の据付者としてサーバ１１に登録されているパスワードに一致すれば、インターネット１０を介して認証情報を送る。
【００２７】
サーバから認証情報を取得して認証が完了したら、ステップ４５で記憶手段２に初期値として各センサの現在の検出値を設定し、通常のＮＣ装置の起動を行う。サーバ１１から認証情報を取得できないときは、ステップ４４に戻って据付者のパスワードの入力を促す。そして、図２の場合と同様に、入力動作の繰り返し回数がリミットに達したときは、ＮＣ装置４を起動しないで処理を終了する。
【００２８】
ステップ４３でインターネット認証ができないと判断したときは、ステップ４４のパスワード認証画面を表示したまま認証パスワードの入力を待つ。オペレータは、この間に据付者パスワードを電話等により管理センターに連絡して、認証パスワードを取得し、手入力で認証パスワードを入力する。入力された認証パスワードが正しければ、ステップ４５で記憶手段２の内容を初期値に戻して、ＮＣ装置４を起動する。正しい認証パスワードが入力されないときは、パスワード認証画面に戻り、図２の場合と同様に、入力動作の繰り返し回数がリミットに達したときに、ＮＣ装置４を起動しないで処理を終了する。
【図面の簡単な説明】
【００２９】
【図１】第１実施形態のブロック図
【図２】図２のシステムの動作フローチャート
【図３】第２実施形態のブロック図
【図４】図３のシステムの動作フローチャート
【符号の説明】
【００３０】
１  センサ
２  記憶手段
３  工作機械
４  ＮＣ装置
５  バッテリー
７  制限情報出力手段
８  リセット手段
13  受信手段
【図１】
2008126336.tif 000003
【図２】
2008126336.tif 000004
【図３】
2008126336.tif 000005
【図４】
2008126336.tif 000006